(57)【要約】【課題】しわの発生を回避しつつ製本強度を向上させ、しかもより読書し易いホローバック本を提供する。【解決手段】背部において複数の紙葉５が一体に接着されて構成された中身２と、中身２を包む表紙４と、筒状に形成されて中身２の背部を表紙４における対応部位に接着させる背紙３とを備え、背紙３は、扁平状態における一対の折り曲げ部位Ｘ，Ｘ間の距離Ｌ１が背部の幅Ｌ２よりも長く設定されると共に、一対の折り曲げ部位Ｘ，Ｘのうちの一方が背部の角部に揃えられた状態で、表紙４に対向する一方の片３ａが表紙４に接着され、背部に対向する他方の片３ｂが背部に接着されている。【選択図】図１
2007230015.tif 000002
【特許請求の範囲】
【請求項１】
背部において複数の紙葉が一体に接着されて構成された中身と、当該中身を包む表紙と、筒状に形成されて前記中身の前記背部を前記表紙における対応部位に接着させる背紙とを備え、
前記背紙は、扁平状態における一対の折り曲げ部位間の距離が前記背部の幅よりも長く設定されると共に、当該一対の折り曲げ部位のうちの一方が前記背部の角部に揃えられた状態で、前記表紙に対向する一方の片が当該表紙に接着され、前記背部に対向する他方の片が当該背部に接着されているホローバック本。
【発明の詳細な説明】
【技術分野】
【０００１】
本発明は、無線綴じ、アジロ綴じ、かがり仮製本等で製本された並製本に関し、特に、ホローバック本に関するものである。
【背景技術】
【０００２】
この種のホローバック本として、特開平１１−１７０７３２号公報に開示されたホローバック本が知られている。このホローバック本１０１は、図７に示すように、複数の紙葉が背部で一体となった本文（中身）１０２と、その本文１０２を包む表紙１０３と、本文１０２の背部を表紙１０３における対応部分に接合する背紙１０４とを備えている。この場合、背紙１０４は、本文１０２の背部の幅よりも幅広で偏平な筒状に形成されると共に、その偏平な筒状の一方の片（折り曲げ部位Ｘ，Ｘを基準として表紙１０３側に位置する側の部位（一方の片１０４ａ））が表紙１０３に貼り付けられ、反対側（折り曲げ部位Ｘ，Ｘを基準として本文１０２側に位置する側の部位（他方の片１０４ｂ））の中央部分に本文１０２の背部が貼り付けられて構成されている。
【０００３】
このホローバック本１０１では、偏平な筒状の背紙１０４における一方の片１０４ａを表紙１０３に貼り付けると共に反対側の他方の片１０４ｂの中央部分に本文１０２を貼り付ける構成を採用したことにより、製本時において表紙１０３を折り曲げた際に生じる背紙１０４のたるみを偏平な筒状の両端に逃がすことができるため、しわの発生を防止することができる。また、背紙１０４を本文１０２の背部に均一に貼り付けることができるため、外観が良く、しかも大きく開くことができるようになっている。さらに、しわ発生の問題を解消できるため、厚い強度の大きい背紙材を用いることができる結果、本の強度を高めることができる。また、筒状の背紙１０４と表紙１０３との接着面積を大きくできるので、この点からも製本強度を更に向上させることができるようになっている。
【０００４】
また、このホローバック本１０１では、上記したように、偏平な筒状の背紙１０４を使用し、かつ本文１０２の背部を背紙１０４の中央部分に貼り付けたことにより、図７〜図９に示すように、本文１０２を開いたときに、表紙１０３における本文１０２の背部に対応する部位（ホローバック本１０１の背となる中央部位）１０３ａと他の部位（左側部位１０３ｂおよび右側部位１０３ｃ）とが、各折り曲げ部位Ｙ，Ｙ（ホローバック本１０１を閉じたときに、本文１０２の背部の各角部と当接する部位）において９０度前後の角度で折れ曲がった状態に維持される。
【０００５】
このため、図７に示すように、本文１０２を、その左側部分１０２ａおよび右側部分１０２ｂの各紙葉の分量がそれぞれ一定以上確保される状態（例えば、一方の分量が全体に対して３０％以上になる状態）で開いて机などの上に載置したときには、本文１０２の左側部分１０２ａおよび右側部分１０２ｂの重みが表紙１０３全体に加わることにより、表紙１０３の中央部位１０３ａがほぼフラットな状態になるため、背紙１０４の各折り曲げ部位Ｘ，Ｘは、表紙１０３の各折り曲げ部位Ｙ，Ｙの上方（ほぼ真上）に位置している。この場合、本文１０２の左側部分１０２ａに含まれている各紙葉は、背紙１０４の左側の折り曲げ部位Ｘを支点として、表紙１０３の左側部位１０３ｂ上に倒れ、これに伴って、本文１０２の左側部分１０２ａに含まれている各紙葉の基部（背紙１０４の他方の片１０４ｂに接着されている縁部）は、右側に移動する。逆に、本文１０２の右側部分１０２ｂに含まれている各紙葉は、背紙１０４の右側の折り曲げ部位Ｘを支点として、表紙１０３の右側部位１０３ｃ上に倒れ、これに伴って、本文１０２の右側部分１０２ｂに含まれている各紙葉の基部は、左側に移動する。この各基部の移動により、背紙１０４の他方の片１０４ｂのうちの本文１０２の背部が貼り付けられた部位は、本文１０２の左側部分１０２ａと右側部分１０２ｂの境界部分を頂部とした逆Ｕ字状に折れ曲がる。
【０００６】
これにより、背紙１０４の他方の片１０４ｂに対してほぼ９０度でその基部が接着された本文１０２を構成する各紙葉は、本文１０２の左側部分１０２ａと右側部分１０２ｂのいずれにおいても、その基部が紙葉の開き方向に向けて、つまり左側部分１０２ａでは左方向に向けて、また右側部分１０２ｂでは右方向に向けてそれぞれ立ち上がる構成となるため、本文１０２の見開き状態が維持され易くなる。したがって、このホローバック本１０１は、本文１０２を、その左側部分１０２ａおよび右側部分１０２ｂの各紙葉の分量がそれぞれ一定以上確保される状態で開いて机などの上に載置したときには、手で紙葉を押さえる必要がないため、読書をし易いという特徴を備えている。
【特許文献１】特開平１１−１７０７３２号公報（第２−４頁）
【発明の開示】
【発明が解決しようとする課題】
【０００７】
ところが、このホローバック本１０１には、以下の解決すべき課題がある。すなわち、このホローバック本１０１は、上記したように、本文１０２をほぼ均等に開いたときには読書をし易いが、図８に示すように、本文１０２を不均一に（本文１０２の左側部分１０２ａの分量が右側部分１０２ｂよりも多い状態で）開いたときには、分量の多い左側部分１０２ａがその重みでほぼ水平な状態になり（表紙１０３の左側もほぼ水平な状態になり）、これによって背紙１０４および表紙１０３の中央部位１０３ａが、表紙１０３の左側の折り曲げ部位Ｙを支点として起立させられる。これにより、背紙１０４の右側の折り曲げ部位Ｘは、表紙１０３の右側の折り曲げ部位Ｙよりも、左側に位置した状態となる。この状態では、背紙１０４の他方の片１０４ｂのうちの本文１０２の背部が貼り付けられた部位は、本文１０２の左側部分１０２ａと右側部分１０２ｂの境界部分を頂部とした逆Ｕ字状ではなく、本文１０２の背部における右側の角部を上端とし、かつ本文１０２の背部における左側の角部を下端とした弧状（左側に膨らむ弧状）に折れ曲がる。したがって、分量の多い本文１０２の左側部分１０２ａの各紙葉は、その基部が紙葉の開き方向に向けて、つまり左方向に向けてそれぞれ立ち上がる構成となるものの、分量の少ない本文１０２の右側部分１０２ｂの各紙葉は、その基部が紙葉の開き方向とは逆の方向、つまり左方向に向けてそれぞれ立ち上がる構成となる。
【０００８】
これにより、このホローバック本１０１では、本文１０２の左側部分１０２ａの各紙葉については、そのままの状態で見開いた状態が維持される。一方、本文１０２の右側部分１０２ｂの各紙葉については、表紙１０３の右側部位１０３ｃ上に見開くためには、右側の折り曲げ部位Ｘの近傍で鋭角に折り曲げる必要があるが、すべてをきっちりと折り曲げるのは困難であり、左側に戻り易いという課題が存在する。また、この課題は、図９に示すように、本文１０２の右側部分１０２ｂの分量が左側部分１０２ａよりも多い状態で開いたときにも、同様に存在している。このため、このホローバック本１０１には、本文１０２を左右のいずれの側から読み始めたとしても（開き始めたとしても）、読み始め（開き始め）の状態、つまり本文１０２の左右の分量が不均一な状態において、本文１０２の分量の少ない側を手で押さえている必要があり、より読書し易いホローバック本が望まれている。
【０００９】
本発明は、上記の課題を解決すべくなされたものであり、しわの発生を回避しつつ製本強度を向上させ、しかもより読書し易いホローバック本を提供することを主目的とする。
【課題を解決するための手段】
【００１０】
上記目的を達成すべく請求項１記載のホローバック本は、背部において複数の紙葉が一体に接着されて構成された中身と、当該中身を包む表紙と、筒状に形成されて前記中身の前記背部を前記表紙における対応部位に接着させる背紙とを備え、前記背紙は、扁平状態における一対の折り曲げ部位間の距離が前記背部の幅よりも長く設定されると共に、当該一対の折り曲げ部位のうちの一方が前記背部の角部に揃えられた状態で、前記表紙に対向する一方の片が当該表紙に接着され、前記背部に対向する他方の片が当該背部に接着されている。
【発明の効果】
【００１１】
請求項１記載のホローバック本によれば、扁平状態での背紙の一対の折り曲げ部位間の距離が中身の背部の幅よりも長く設定され、その一方の片が表紙に接着され、かつ他方の片に中身の背部が接着されることにより、従来のホローバック本と同様にして、製本時において表紙を折り曲げた際に背紙に生じるたるみを偏平な筒状の一端に逃がすことができる。したがって、しわの発生を防止できると共に、強度の大きい厚い背紙材を背紙に使用できる結果、製本強度を向上させることができる。また、中身は、背部における一方の角部が背紙の一方の折り曲げ部位に揃えられた状態で、背紙によって表紙に接着されている。したがって、中身におけるこの一方の角部と同じ側にある部分の分量が少ない状態で、または中身の左側部分および右側部分の各紙葉の分量がそれぞれ一定以上に確保される状態で中身を見開いたときには、この見開き状態が維持され易いため、手で中身を押さえることなく、見開かれた紙葉の内容を読むことができる。この結果、より読書し易いホローバック本が提供される。
【発明を実施するための最良の形態】
【００１２】
以下、添付図面を参照して、本発明に係るホローバック本について説明する。
【００１３】
最初に、ホローバック本１の構成について、図面を参照して説明する。
【００１４】
ホローバック本１は、図１，２に示すように、中身２、背紙（クーター）３および表紙４を備え、並製本として構成されている。中身２は、複数の紙葉５およびこれらの紙葉５を挟んで配設された一対の見返し６が背部（同図中の下端部）において一体に接合されて構成されている。具体的には、同図に示すように、複数の紙葉５は、各々の下端部において接着剤７によって一体に接着されている。また、各見返し６は、各々の遊び紙６ａ側の下端部が、一体化された複数の紙葉５における下端部に接着剤８でそれぞれ接合されている。
【００１５】
背紙３は、例えば、クラフト紙（好ましくは、さらしクラフト紙）を用いて、図２に示すように偏平な筒状に形成されて、図１に示すように中身２と表紙４との間に配設されることにより、中身２と表紙４とを接合させる。本発明における背紙３は、図２に示すように、偏平な状態における幅（一対の折り曲げ部位Ｘ，Ｘ間の距離）Ｌ１が中身２の背部の幅（閉じた状態での中身２の背部における角部間の距離）Ｌ２よりも広く設定されている。また、背紙３は、図１，２に示すように、一対の折り曲げ部位Ｘ，Ｘのうちの一方の折り曲げ部位Ｘ（図１，２中では一例として左側の折り曲げ部位Ｘ）が中身２の背部の一方の角部（左側の角部）に揃えられた状態で表紙４と中身２との間に配設されている。したがって、背紙３の他方の折り曲げ部位Ｘ（図１，２中の右側の折り曲げ部位Ｘ）は、図１に示すように、中身２の背部における他方の角部（右側の角部）を越えて中身２の右側方に回り込んだ状態になっている。
【００１６】
また、本例では、背紙３は、１枚のクラフト紙を筒状に丸めた状態において、丸め始め端部および丸め終わり端部（いずれも図示せず）を互いに接着するなどして連結することにより、単体で筒状状態となるように作製されている。ただし、背紙３は、この構成に限らず、少なくとも表紙４に接着された状態において筒状に形成されていればよい。したがって、背紙３は、筒状に丸めた単体の状態において、丸め始め端部と丸め終わり端部とが必ずしも直接的に連結されていなくてもよく、例えば、丸め始め端部および丸め終わり端部が、それぞれ表紙４に接着されることにより、表紙４を介して連結される構成でもよい。表紙４は、中身２を包むためのものであって、例えば、特殊紙などの並製本用の紙を用いて作製されている。
【００１７】
以上の構成要素を用いてホローバック本１を作製する場合、まず、図２に示すように、表紙４における中身２の背部に対向する中央部位（ホローバック本１の背となる部位）４ａを含むようにして、表紙４のほぼ中央部位の表面に、背紙３の幅Ｌ１と同じ幅で接着剤９を紙面手前側から奥側に向けて直線状に塗布する。詳細には、表紙４のセンターＣＬから同図中の左側に幅Ｌ２の二分の一だけ離間した位置Ａと、幅Ｌ１から幅Ｌ２の二分の一を減算した距離だけセンターＣＬから同図中の右側に離間した位置Ｂとで挟まれた領域に接着剤９を塗布する。
【００１８】
次いで、図２，３に示すように、表紙４における接着剤９を塗布した部位に、背紙３の一方の片（折り曲げ部位Ｘ，Ｘを基準として表紙４側の部位）３ａを全面に亘って接着する（貼り付ける）。なお、図３では、発明の理解を容易にするため、各接着剤を省略して図面を簡略化している。また、この際に、背紙３の丸め始め端部と丸め終わり端部とが表紙４側を向くようにして背紙３を貼り付けるのが好ましい。
【００１９】
続いて、背紙３の他方の片（折り曲げ部位Ｘ，Ｘを基準として中身２側の部位）３ｂの表面全体に接着剤１０を塗布し、この他方の片３ｂの表面に中身２の背部を接着剤１０で接着する。この際に、中身２の背部における左側の角部を背紙３の左側の折り曲げ部位Ｘに揃えるようにして、中身２の背部を背紙３の他方の片３ｂに接着する。
【００２０】
次いで、中身２の各見返し６におけるきき紙６ｂを、対応する表紙４の各内面に不図示の接着剤を用いてそれぞれ接着する。この場合、上記したように、背紙３の他方の折り曲げ部位Ｘ（図２中の右側の折り曲げ部位Ｘ）が中身２の背部における他方の角部（右側の角部）を越えて中身２の右側方に延出しているため、中身２の右側の見返し６におけるきき紙６ｂの下端側（表紙４側）は、図１に示すように、接着剤１０によって背紙３の他方の片３ｂに接着される。これにより、中身２および表紙４が、各見返し６および背紙３によって互いに接合される。
【００２１】
最後に、表紙４を中身２の背部における各角部に対応する各部位Ｙ，Ｙにおいて中身２側に約９０度折り曲げることにより、図１に示すホローバック本１の作製が完了する。この場合、表紙４は、各折り曲げ部位Ｙ，Ｙ間に位置して表紙４における中身２の背部に対向する中央部位４ａがホローバック本１の背として機能し、この中央部位４ａの左側に位置する左側部位４ｂがホローバック本１の平（または地）として機能し、この中央部位４ａの右側に位置する右側部位４ｃがホローバック本１の地（または平）として機能する。
【００２２】
このようにして作製されたホローバック本１によれば、扁平な状態での背紙３の一対の折り曲げ部位Ｘ，Ｘ間の距離（背紙３の幅）Ｌ１が中身２の背部の幅Ｌ２よりも長く設定され、その一方の片３ａが表紙４に接着され、他方の片３ｂに中身２の背部が接着される。したがって、従来のホローバック本１０１と同様にして、製本時において表紙４を折り曲げた際に背紙３に生じるたるみを偏平な筒状の一端（同図では右端）に逃がすことができ、これによって、しわの発生を防止できると共に、強度の大きい厚い背紙材を背紙３に使用できる結果、製本強度を向上させることができる。
【００２３】
また、このホローバック本１では、上記したように、中身２は、背部における一方の角部（左側の角部）が背紙３の左側の折り曲げ部位Ｘに揃えられた状態で背紙３および見返し６によって表紙４に接着されている（図１参照）。このため、背紙３の他方の片３ｂは、中身２の背部における他方の角部（右側の角部）を越えて中身２の右側方に回り込んだ状態になっている（図１参照）。したがって、中身２の背部における右側の角部は、中身２を図４〜図６に示すような種々の状態で見開いたときに、表紙４の右側の折り曲げ部位Ｙとは独立して移動する。この結果、表紙４は、中身２の背部における右側の角部の移動の影響をほとんど受けることなく、右側の折り曲げ部位Ｙにおいて中央部位４ａと右側部位４ｃとが９０度前後の角度で折れ曲がった状態に維持されている。
【００２４】
また、このホローバック本１では、図４に示すように、中身２の右側部分２ｂに対して左側部分２ａの分量が少ない状態（中身２全体に対して約３０％未満の状態）で机などの上に開いて載置したときには、表紙４の中央部位４ａおよび背紙３は、中身２の右側部分２ｂの重みにより、表紙４の右側の折り曲げ部位Ｙを支点として立ち上げられる。この場合、中身２をその右側部分２ｂと左側部分２ａの境界部分でしっかりと開くことにより、背紙３は、その上部が、中身２の右側部分２ｂと左側部分２ａの境界部分を頂部とした逆Ｕ字状に折れ曲がる。これにより、背紙３の他方の片３ｂに対してほぼ９０度でその基部（他方の片３ｂに接着されている縁部）が接着された各紙葉５は、中身２の右側部分２ｂおよび左側部分２ａのいずれにおいても、その基部が紙葉５の開き方向に向けて、つまり左側部分２ａでは左方向に向けて、また右側部分２ｂでは右方向に向けてそれぞれ立ち上がる構成となるため、中身２の見開き状態が維持され易い。したがって、中身２の右側部分２ｂを手で押さえることなく、この右側部分２ｂの紙葉５を読むことができ、しかも紙葉５全体に対する良好な視認性も確保することができる。
【００２５】
また、このホローバック本１では、図５に示すように、中身２を、その左側部分２ａおよび右側部分２ｂの各紙葉の分量がそれぞれ一定以上に確保される状態（例えば、一方の分量が全体に対して３０％以上になる状態）で開いて机などの上に載置したときには、中身２の左側部分２ａおよび右側部分２ｂの重みが表紙４全体に加わるため、表紙４の中央部位４ａがほぼフラットな状態になる。また、この状態において、中身２の左側部分２ａは、表紙４の左側の折り曲げ部位Ｙ、つまり背紙３の左側の折り曲げ部位Ｘを支点として、表紙４の左側部位４ｂ上に倒れる。このため、表紙４の左側部位４ｂも、その全面に中身２の左側部分２ａの重みが加わるため、ほぼフラットな状態になる。
【００２６】
他方、表紙４は、上記したように、その右側の折り曲げ部位Ｙにおいて中央部位４ａと右側部位４ｃとが９０度前後の角度で折れ曲がった状態に維持される。このため、表紙４の中央部位４ａがほぼフラットな状態においては、背紙３の右側の折り曲げ部位Ｘは、表紙４の右側の折り曲げ部位Ｙの上方（ほぼ真上）に位置している。したがって、中身２の右側部分２ｂを構成する各紙葉５は、背紙３の右側の折り曲げ部位Ｘを支点として、表紙４の右側部位４ｃ上に倒れ、これに伴って、中身２の右側部分２ｂの基部は左側に移動する。また、この基部の左側への移動により、背紙３の他方の片３ｂのうちの中身２の背部が貼り付けられた部位は、中身２の右側部分２ｂと左側部分２ａの境界部分を頂部とした逆Ｕ字状に折れ曲がる。これにより、背紙３の他方の片３ｂに対してほぼ９０度でその基部が接着された各紙葉５は、中身２の右側部分２ｂおよび左側部分２ａのいずれにおいても、その基部が紙葉５の開き方向に向けて、つまり左側部分２ａでは左方向に向けて、また右側部分２ｂでは右方向に向けてそれぞれ立ち上がる構成となるため、中身２の見開き状態が維持され易い。したがって、中身２の右側部分２ｂを手で押さえることなく、この右側部分２ｂの紙葉５を読むことができ、しかも紙葉５全体に対する良好な視認性も確保することができる。
【００２７】
なお、このホローバック本１では、図６に示すように、中身２の左側部分２ａに対して右側部分２ｂの分量が少ない状態で机などの上に開いて載置したときには、図８に示す従来のホローバック本１０１と同様の状態になるため、ホローバック本１の中身２を大きく開いた状態に維持するためには、中身２の右側部分２ｂを背紙３の右側の折り曲げ部位Ｘの近傍で大きく折り曲げて、手で押さえる必要がある。しかしながら、上記したように、このホローバック本１によれば、中身２を、その背部の角部のうちの背紙３の折り曲げ部位Ｘと揃えられた角部側を基準として約７０％の範囲内で見開いたときには、手で中身２を押さえることなく紙葉５に記載された内容を読むことができる結果、より読書し易いホローバック本を提供することができる。
【００２８】
また、本発明は、上記した構成に限定されない。例えば、上記したホローバック本１では、特に、並製本の種類を限定しないで説明したが、無線綴じ、アジロ綴じ、かがり仮製本等で製本された並製本に適用できるのは勿論である。
【図面の簡単な説明】
【００２９】
【図１】ホローバック本１を上面側から見た断面図である。
【図２】ホローバック本１の構成を示す分解平面図である。
【図３】ホローバック本１の構成を示す分解斜視図である。
【図４】中身２を開いて机に載置した状態のホローバック本１の側面図である。
【図５】中身２を開いて机に載置した状態のホローバック本１の他の側面図である。
【図６】中身２を開いて机に載置した状態のホローバック本１の他の側面図である。
【図７】中身２を開いて机に載置した状態のホローバック本１０１の側面図である。
【図８】中身２を開いて机に載置した状態のホローバック本１０１の他の側面図である。
【図９】中身２を開いて机に載置した状態のホローバック本１０１の他の側面図である。
【符号の説明】
【００３０】
１  ホローバック本
２  中身
３  背紙
４  表紙
５  紙葉
Ｘ  折り曲げ部位
Ｌ１  距離
Ｌ２  背部の幅
【図１】
2007230015.tif 000003
【図２】
2007230015.tif 000004
【図３】
2007230015.tif 000005
【図４】
2007230015.tif 000006
【図５】
2007230015.tif 000007
【図６】
2007230015.tif 000008
【図７】
2007230015.tif 000009
【図８】
2007230015.tif 000010
【図９】
2007230015.tif 000011